(57)【要約】  本発明は、コーヒー等のホット飲料を作るためのシステム及び方法に関する。  本発明に従うシステムは、液体入口と、出口とを有し、液体が前記原材料容器を通して実質的に水平に流動する、ホット飲料用の原材料を配置可能な原材料容器、前記出口に作動上連結され、入口と、エア入口と、ノズルとを有するノズルアセンブリ、ホット飲料を提供するために前記ノズルに作動上連結された注ぎ口、を含む。
2017530775.tif 000002
【特許請求の範囲】
【請求項１】
ホット飲料を作るためのシステムであって、
液体入口と、原材料と液体との混合物用の出口とを有し、前記液体入口及び出口が、液体が前記原材料を通して実質的に水平に流動し得るように位置決めされた、ホット飲料用の原材料を配置可能な原材料容器、
前記出口に作動上連結されたノズルアセンブリにして、原材料と液体との混合物用の入口と、前記ノズルアセンブリを貫流する間にエアを混合するための、前記エアを前記混合物に導入又は混合させる構成を有する入口を含むエア入口と、前記ノズルアセンブリに設けられ、前記混合物がそこを通して流動する際にエアを混合させる構成を有するノズルとを有するノズルアセンブリ、
ホット飲料を提供するために前記ノズルに作動上連結された注ぎ口、
を含むシステム。
【請求項２】
前記原材料容器の液体入口が実質的に中央部に位置決めされ、前記出口が前記原材料容器の実質的に周辺部又はその付近に位置決めされた請求項１に記載のシステム。
【請求項３】
前記原材料容器の液体入口が入口プレートを含み、前記入口プレートがその中央部又は中央部付近に通路を有する請求項１又は２に記載のシステム。
【請求項４】
前記原材料容器の出口が出口プレートを含み、前記出口プレートがその周辺部又は周辺部付近に通路を有する請求項１、２又は３に記載のシステム。
【請求項５】
前記出口プレートの周辺部方向に向けて伸延して前記通路内に入る溝が設けられる請求項４に記載のシステム。
【請求項６】
前記通路の直径、及び／又は、幅が０．５〜５ｍｍ、好ましくは１〜４ｍｍ、より好ましくは２〜３．５ｍｍの範囲であり、最も好ましくは約３ｍｍである請求項４又は５に記載のシステム。
【請求項７】
使用上、原材料をその内部に配置可能なチャンバが入口プレートと出口プレートとの間に設けられる請求項３〜５の何れか又は６に記載のシステム。
【請求項８】
エア入口に制御手段を設けた請求項１〜７の１つ又は１つ以上に記載のシステム。
【請求項９】
制御手段により調節される前記エア入口が、ノズルアセンブリを通して流動中に混合されるエア量を制御手段により調整する構成を有する連続調整式入口を含む請求項８に記載のシステム。
【請求項１０】
請求項１〜９の１つ又は１つ以上に記載のシステム、及び／又は、コーヒーフィルタシステムで使用する入口プレート。
【請求項１１】
請求項９に記載の入口プレートと、請求項１〜１０の１つ又は１つ以上に記載されるシステムで使用する出口プレートとのアセンブリ。
【請求項１２】
請求項１〜１１の１つ又は１つ以上に記載されるシステムを含むホット飲料調製用の調製装置。
【請求項１３】
ホット飲料の作製方法であって、
液体入口と、原材料と液体との混合物用の出口とを有し、前記液体入口及び出口が、液体が前記原材料を通して実質的に水平に流動し得るように位置決めされた、原材料容器内に原材料を提供するステップ、
前記原材料に、実質的に水平方向で液体を貫流させるステップ、
原材料と液体との混合物用の入口と、ノズルアセンブリを貫流する間にエアを混合させるためのエア入口と、前記ノズルアセンブリに設けられ、前記混合物がそこを通して流動する際にエアを混合させる構成を有するノズルとを有するノズルアセンブリへと、前記原材料と液体との混合物を前記出口を介して流動させるステップ、
前記混合物内に前記エア入口からエアを混合させるステップ、
前記ノズルの出口及び注ぎ口からホット飲料を流出させるステップ、
を含む方法。
【請求項１４】
前記ノズルアセンブリを貫流する間に混合されるエア量を制御手段により調整するステップを含む請求項１３に記載の方法。
【請求項１５】
０．５〜３バールの範囲の供給圧力下に、原材料に実質的に水平方向で液体が貫流される請求項１３又は１４に記載の方法。
【請求項１６】
請求項１〜１５の１つ又は１つ以上に記載されたホット飲料調製用のシステムの使用。
【発明の詳細な説明】
【技術分野】
【０００１】
本発明は、コーヒーやホットチョコレート等の熱い飲料（以下、ホット飲料とも称する）を作るシステムに関する。本システムは特に、例えば、挽きコーヒーを入れたポッドを使い、クリームあるいはクレマ層を形成したコーヒーを作ることに関する。
【背景技術】
【０００２】
実際上、クリーム層を形成したコーヒーを作る様々の方法が知られている。フロス、クレマあるいはクリームの層をコーヒーにうまく形成するには通常、例えば、約９〜１０バールの高圧が用いられる。所謂ポッドを使用するエスプレッソの場合、エスプレッソはコーヒー製品約５〜７グラム入りの容器を使用して作られる。
【０００３】
例えばＮＬ１０３２２９３号明細書にはファインバブル状のフロス層付き飲料を提供する方法が記載される。ポッドの一方側にスパウトタイプの開口を設ける。次いでこのポッドをホルダー内に配置し、加圧下にこのホルダーを貫く流れを生じさせる。ここで問題となるのは圧力が比較的低い、例えば３バール未満であるとフロス層のクオリティが不十分となることである。更には、実際上、ポッドを貫く流れ、特には内部のコーヒー製品を通る流れが最適化されないためにコーヒー製品が有効使用されず、従ってその使用効率が最適で無いことも分かった。また、それら既知のシステムでの挽きコーヒーの抽出は一様なものでもない。
【先行技術文献】
【特許文献】
【０００４】
【特許文献１】ＮＬ１０３２２９３号明細書
【発明の概要】
【発明が解決しようとする課題】
【０００５】
上述した問題を解消あるいは少なくとも低減させる、ホット飲料を作るための改良方法を提供することである。
【課題を解決するための手段】
【０００６】
前記課題は、請求項１に従う、コーヒー等のホット飲料を作るシステムにより解消される。
被抽出、及び／又は、被溶解製品、特にはコーヒー製品を、液体、特には水が実質的に水平方向に流れる、例えばポッド内に配置することで前記製品が効果的に溶解、及び／又は、抽出されるようになる。本発明では前記製品が効果的に利用されることが分かった。かくして従来のポッドを、例えば製品約７グラム入りとする代わりに原材料量を約３５〜４５％減らして製品約４グラム入りとしても、カップ一杯分には十分であることが分かった。この減少によっても、最終製品としてのホット飲料の高クオリティは維持され得、あるいは改善さえされ得ることが分かった。
【０００７】
貫流が実質的に水平であることで不正貫流が防止される。この不正貫流は、例えば従来装置では、ポッドを例えば無造作に置いたり押し込んだりしたためにポッド内のコーヒー配分が全体に不均等化するために生じる。その結果、水は抵抗が最少の通路を進むようになり、それ故に既知のシステムは非常に低効率であることが分かった。本発明に従うシステムでは液体は常に、挽きコーヒーの有効量を可能な限り完全に貫いてガイドされ、かくして、望み得る最高の抽出が約束されることが保証される。
【０００８】
ホット飲料上の、先に述べた微細バブル状の（フロス）層は、本発明に従えば、原材料容器の内部又は上部に、その側壁にエア入口としての多数の流入開口を設けたノズルアセンブリを設けることで実現される。エア入口数は１、２、４、あるいはその他であり得る。好ましい実施形態ではこれら流入開口はノズルアセンブリの、使用中は実質的に垂直方向に延在する流れチャネルの径変化部分、あるいはその付近に配置される。これによりノズルアセンブリ内への望ましいエア吸引が実現される。流れチャネルの長さは、良好な混合を実現するべく約１５ｍｍであることが好ましい。流入開口の直径は、例えば、約０．５〜１．５ｍｍとするのが好ましく、より好ましくは０．７〜１ｍｍ、最も好ましくは約０．８５ｍｍである。混合はノズルアセンブリ内で実現される。その後、混合物はノズルあるいは出口流れ部を介して容器あるいはカップに運ばれ、コーヒー等のホット飲料に魅力的なフロス、クリーム、クレマ等の層が作られる。ノズルアセンブリの出口端部位置で、使用中に下方に向けられるノズルあるいは出口流れ部の直径は約０．８５ｍｍの範囲内とすることが好ましい。ノズルアセンブリはプラスチック材料製であることが好ましい。
【０００９】
本発明によれば、単一以上の部品、例えば、一方を他方に載せた構成、及び／又は、相互に隣り合う２部分構成のポッドから原材料を提供させ得る。これによりユーザーは例えば、コーヒータイプの自分だけのブレンド、及び／又は、ホット飲料に、例えばミルクあるいはチョコレートを追加することができる。
現在好ましい実施形態では、原材料容器の液体入口は実質的に中央に位置決めされ、出口は原材料容器の実質的に周辺位置あるいはその付近に位置決めされる。
【００１０】
液体入口及び出口の特定形態により、原材料を実質的に水平方向に通る貫流が実現される。本実施形態ではこの流れは原材料容器の中心から周辺に向って流れる。入口は単一の開口であり得る。しかしながら、例えば、原材料容器中心の周囲の円に沿って多数の開口を設けてもよい。実質的に水平方向の流れが、入口と出口との間の距離を橋絡する（低い）垂直方向成分をも含み得ることが明らかであろう。しかしながら、本発明に従うシステムでは有意の流れ方向は実質的に水平方向である。原材料容器の液体入口は、入口プレートにして、その中心部内あるいは中心部付近に通路を備える入口プレートを具備することが好ましい。これにより、原材料の中心部への液体供給が実現される。好ましい実施形態では前記通路はチャンバ内に開口され、かくして液体は原材料に可能な限りにおいて最適配分される。
【００１１】
原材料容器の出口は、その周辺部位置あるいは周辺部付近に出口プレートをも含むことが好ましい。前記実質的に水平方向の貫流は、中心部に位置決めされた液体入口と、出口プレートとの組み合わせにより実現される。好ましい実施形態では実質的に出口プレートの周辺部方向、好ましくは半径方向に延在する溝が通路に接近して設けられる。これらの溝は約１〜２ｍｍの幅で１〜２ｃｍの長さに渡り延在されることが好ましい。本発明に従うシステムの特定構成ではその他寸法とすることも可能である。
【００１２】
入口プレート及び出口プレートを持つ現在好ましい実施形態では、使用に際し、原材料を配置可能なチャンバが入口プレート及び出口プレート間に設けられる。挽きコーヒー、粗挽きコーヒー、ココア等の１つあるいは１つ以上のポッドが、例えば液体、特には水がこれらのポッドを貫流し得るようにこのチャンバ内に提供され得る。
入口プレート、及び／又は、出口プレートの通路の直径、及び／又は、幅は好ましくは０．５〜５ｍｍ、好ましくは１〜４ｍｍ、より好ましくは２〜３．５ｍｍの範囲、最も好ましくは約３ｍｍである。前記範囲であれば作動が効率化され、最終製品のクオリティが高くなることが分かった。
【００１３】
現在好ましい実施形態では、通路開口は丸穴として設けられる。その他形状の開口、例えば四角形、矩形、傾斜等とすることも同様に可能である。開口は凹所として理解されても良い。加えて、本発明に従う貫流開口を設けることで、カップ上方での流体圧力低下が非常に小さくなるので低い液体供給圧力でホット飲料を調製できることも分かった。供給圧力を０．５〜３バール、好ましくは１〜２バールの範囲、そして圧力が１．５バールである場合でさえ、製品が最適利用され、且つ、コーヒー等のホット飲料上にフロス層、クリームあるいはクレマ層がうまく形成された良好な結果が得られることが分かった。
【００１４】
本発明に従う有益な好ましい実施形態ではエア入口は制御手段により調節可能であり、制御手段で調節可能なこのエア入口は、ノズルアセンブリ貫流中のエア混合量を調節する構成を有する連続調整可能な入口を含むことがより好ましい。
連続調節可能なエア入口を設けることでユーザーは、原材料容器からの混合物に所定範囲内の任意の所望のエア量を追加できる。これによりユーザーは、所望タイプのフロスが所望量形成されたホット製品を実現できる。
本発明は、先に説明したシステム、及び／又は、コーヒーフィルタシステムで使用する、入口プレート、及び／又は、入口プレート及び出口プレートのアセンブリにも関する。
それらの入口プレートは、システムについて先に説明したと同一の効果及び利益を提供する。
【００１５】
従来のフィルタコーヒーシステムでは原材料、特には挽きコーヒーは最適利用されていない。その原因は、水がコーヒー量の中心部に注入される結果、エッジ部位置での抽出が最適化されないことにある。使用中にコーヒーフィルタ上方に配置される入口プレートを設けることで、液体が原材料を通して最適案内されるようになる。詳しくは、フィルタコーヒーシステムに関してのコーヒーを貫く水の最適案内は、コーヒーフィルタ上部に孔付き入口プレートを載せることによって、水を挽きコーヒーの有効量に渡りずっと最適に配分させ、それが抽出の大幅な改善に直結することで実現される。
本発明に従うアセンブリを従来の調製装置に有効態様下に適用することで、本システムに関して上述した如きと同様の効果及び利益を達成することができる。
本発明はホット飲料を調製する、前述した如きシステムを備える調製装置及びその使用にも関する。
それらの調製装置は本システムに関して上述した如きと同じ効果及び利益を達成することができる。
【００１６】
本発明に従う調製装置は特に、前記範囲、好ましくは約１．５バールの液体供給圧力を実現するために特に好適なものである。これにより、構造が比較的簡単な調製装置で良好なフロス層が形成された高クオリティなコーヒー等のホット飲料を提供できる。フロスのクオリティ、及び／又は、タイプは可変性のエア入口を調節することで調節できる。
本発明は更に、方法クレームに従う、ホット飲料作製方法、及び／又は、システム又は調製装置の使用にも関する。
前記方法及び使用によれば、前記システム、及び／又は、入口プレートに関して説明したと同様の効果及び利益が提供される。
【００１７】
本発明の方法は、調節式のエア入口を調節してフロスのクオリティ、及び／又は、タイプを調節する上で特に有益であることが分かった。原材料を実質的に水平方向に貫流することで、原材料が効率的且つ有効に利用される。
本発明に従う実施可能な方法には、原材料を０．５〜３バールの範囲の供給圧力下に実質的に水平方向で貫流させることが含まれる。これによりホット飲料、特にはコーヒーの所望クオリティが有効態様下に提供され得る。
【発明の効果】
【００１８】
従来装置における問題を解消あるいは少なくとも低減させる、ホット飲料を作る改良された方法が提供される。
【図面の簡単な説明】
【００１９】
【図１】図１は本発明に従うシステムの断面斜視図である。
【図２】図２は図１のシステムの断面図である。
【図３】図３は図１のシステムのコンポーネントの分解斜視図である。
【図４】図４はコーヒーフィルタシステム用の入口プレートを付けた容器の断面斜視図である。
【図５】図５は図１のシステムを備える調製装置の斜視図である。
【図６】図６は本発明に従うコンポーネントを備える別態様のシステムの断面斜視図である。
【図７】図７は本発明に従うコンポーネントを備える別態様のシステムの断面図及び側面図である。
【図８】図８は本発明に従うコンポーネントを備える別態様のシステムの断面斜視図である。
【図９Ａ−９Ｉ】図９Ａ〜９Ｉは本発明に従うシステムの別態様のコンポーネントの例示図である。
【発明を実施するための形態】
【００２０】
システム２（図１〜３）は、中央装着口８の周囲に多数の入口開口６を設けた入口プレート４を含む。図示された実施形態において入口プレート４は直立縁部１０を有し、原材料容器１４の支持縁部１２上に載置されている。原材料容器１４の、使用中に下方に向けられる側面上に出口プレート１６が設けられる。出口プレート１６の周辺部付近には多数の通路開口１８が設けられる。出口プレート１６には、原材料容器１４の底部２０に載置される曲げ縁部１９も設けられる。
原材料を、例えば多数のポッド形態で配置可能な空間２２がプレート４、１６間に配置される。出口プレート１６と底部２０との間には、原材料と液体との混合物がそこを通してノズルアセンブリ２８の入口２６の方向に流動し得る流動空間２４が位置付けられる。
ノズルアセンブリ２８には漏斗状の入口空間３０、狭幅部３２及び流れチャネル３４が設けられる。移行部３６付近にエア入口３８が配置される。エア入口３８の貫流口は回転式閉鎖デバイス４０を介して調節可能である。
【００２１】
図示された実施形態では閉鎖デバイス４０には回転式リングが設けられる。ノズルアセンブリ２８の出口４２は出口流れ部４４内に開口される。図示された実施形態では出口流れ部４４には２つの出口流れ部４６が設けられる。図示された実施形態ではリング４０はノズルアセンブリ２８及び丸いエア入口３８に関しても回転する。その他の調節式エア入口、例えばスライド弁あるいはタップとすることも可能であることは明らかである。
図示された、例えばポッドシステム用の実施形態のシステム２では、湯は可能とされる最大限において中央部から供給され、そこには例えばポッド詰めされたコーヒーがチャンバ２２内に配置され、チャンバ上部の中心部位置の給湯用の入口開口６と、チャンバ２２の外側底部の外周部全体に沿って配置された出口開口１８との組み合わせにより、湯がコーヒーを通して最大限最適に案内され、かくして抽出が最良化され得る。使用後、抽出済みのポッドは、後漏れを生じない実質的に乾燥した状態でシステム２から取り出し可能である。
【００２２】
別の実施形態では供給された湯は縁部全体に沿って配給され、他方、コーヒーはチャンバの中央部から流出される。
コーヒー混合物はチャンバ２２を出るとノズルアセンブリ２８に入り、そこで、連続可変様式で開閉させ得るエア入口３８を介し、ベンチュリ原理に従ってエアがコーヒーに多少混入され、あるいは全く混入されず、かくして、効果的な連続可変的調節によりコーヒー抽出製品上にフロスあるいはクレマ層を最適に形成させ得、又はエアを供給せずにそのようなフロス層を形成することができる。
【００２３】
コーヒーフィルタ１０２（図４）はフィルタコーヒーを調製する目的で挽きコーヒーをその内部に配置するために好適なものである。抽出を改善するには、システム２の入口プレート４と類似の、しかしその表面上に通路１０６を配置したプレート１０４を用いることが有益であることが分かった。前記配置はコーヒー容器１０８の形に適合される。これによりずっと効率的な様式でフィルタコーヒーが作られる。
システム２は調製装置２０２（図５）に組み込み可能である。これによりシステム２は液体を、望ましい状況とし且つ抽出法で使用可能にする、装置全体における一部を構成する。
【００２４】
図示された実施形態のアセンブリ２では液体、特には水が好ましくは約１．５バールの圧力下に供給され、続いてカバー部分４を貫流してチャンバ２２に入り、そこで抽出を実行し、例えば、コーヒー混合物を作る。次いでこの混合物は出口１８を介してチャンバ２２を出て、流動空間２４を介してノズルアセンブリ２８に入る。エア入口３８を通してエアが供給され、ノズルアセンブリ２８の内部で可能な限りにおいて混合物と最適混合される。次いで混合物は出口４２及び出口流れ４６を介して排出され、切頭円錐状の外向き流れが好ましく実現される。
【００２５】
図示された実施形態では、アセンブリ２を約１．５バールの供給圧力下に使用することで、望ましいクオリティのフロス層が形成されたグッドクオリティのコーヒーを作れることが分かった。ここで使用するコーヒー製品１０の量は約４グラムとすることが可能であり、このような比較的低い供給圧力下では原材料量を７〜７．５グラム使用する従来容器と比較して原材料がかなり節約される。同時に、フロス層のクオリティも改善され得る。
【００２６】
サブシステム３０２（図６〜８）は、実質的に垂直に位置決めされたシリンダ３０４と、既に説明した如きと同一の作動原理を有するエア入口システム３０６と、出口３０８とを含む。サブシステム３０２は原材料、例えばコーヒーを水平及び垂直に貫流させるように適合させ得る。サブシステム３０２は、実質的に垂直方向での貫流用に特に好適であることが分かった。水は装置３１０（図８）により（矢印で示す方向で）サブシステム３０２に運ばれた後、カップ３１２に満たされる。
【００２７】
別態様の入口プレート４０２（図９Ａ−Ｉ）には中央の通路４０４と、その周囲に位置決めされた追加の通路４０６とが設けられ、通路４０４、４０６を含む中央部分と、使用中に上方に向けられる側の、外側縁部４１２との間にはリブ４０８が設けられる。中央部分と、リブ４０８を設けた部分との間の移行部にはシール４１０を設けるのが好ましい。入口プレート４０２は原材料容器１４上の縁部４１２に載置される。図示された実施形態では通路４０４、４０６は、入口プレート４０２の使用中に下方に向けられる側のスルーフィードチャンバ４１４に入る。出口プレート４１６には中央閉鎖部４１８が設けられ、その周囲部に接近して、通路４２２を有する溝４２０が形成される。図示された実施形態では通路４２２は縁部４２４に配置されている。リング４２６には壁４２８及び通路４３０が設けられる。出口プレート４１６には原材料容器１４に嵌入するクランプ部を設けるのが好ましい。
【００２８】
使用中、ポッド４３２は入口プレート４０２と出口プレート４１６との間に配置され、矢印Ａで示すような実質的に垂直方向の流れがポッドを貫流する。ポッド４３２は、通常の開放構造を有する上方側４３４と、水平方向貫流を助長させるべく実質的に閉じた下方側４３６とを設けることが好ましい。このようなポッド４３２を、実質的に水平方向貫流と、好ましくは調節式のエア入口とを有する更に他の実施形態にも適用できる。
【００２９】
本発明に従う多数の構成が可能であり、一つの構成は、原材料のタイプ、及び／又は、ユーザーの好みに合わせ得る。これは例えば、ノズルあるいはノズルアセンブリの寸法やその取り付けに関係するものである。本発明に従う方法及び構成のその他組み合わせが可能であることも明らかである。
【００３０】
特に、容器と、ノズルに設けられる流入開口が０．５〜１．０ｍｍの範囲、好ましくは０．６〜０．９ｍｍの範囲、最も好ましくは約０．８ｍｍである好ましい寸法との組み合わせの結果として、ノズルアセンブリのチャネル内に正しい混合が実現されるだけでなく、カップ又は他の容器に好ましい排出が実現されることが分かった。
本発明では使用されるノズルアセンブリの長さは好ましくは５〜２０ｍｍの範囲、好ましくは８〜１８ｍｍ、最も好ましくは約１５ｍｍとされる。この長さの一部分は容器のチャンバ内部に位置付けられているが、使用中はその一部が容器の下側でチャンバの外側位置に伸延される。
【００３１】
ノズルアセンブリはクランプ嵌合を用いて容器内に配置され得、所望であればノズルの外側にストッパあるいはカラー／フランジを配置し、このストッパあるいはカラー／フランジにより容器底部上に載置され、且つ、チャンバ内を支配する圧力により使用中は下面に押し付けられ得る。これにより、必要コンポーネント数が極めて少なくなる。シールを追加する必要さえ無いことが分かった。所望であれば、ノズルアセンブリを容器に一体化することも出来る。
異なる実施形態において示された異なる寸法を相互に組み合わせて、本発明に従う新規の実施形態となし得ることも明らかである。
【００３２】
本発明の一部を、貫流方向が実質的に垂直（図６〜８）の、ホット飲料調製用の別態様の調製装置に適用できる。例えば調節式のエア入口を想定することができる。これは、調製装置で利用可能な圧力及び最適な抽出によりその直径及び高さの決まるシリンダに水を環流させることで実現される。好ましい実施形態ではシリンダの内径は約８〜２０ｍｍ、好ましくは約１０ｍｍであり、長さは約４０〜１００ｍｍ、好ましくは約６０ｍｍである。実質的に垂直の調製法によっても、抽出は従来既知のシステムと比較して大幅に改善される。供給圧力を０．５〜３バール、好ましくは１〜２バール、そして１．５バールとした場合でさえ良好な結果が得られることが分かった。
以上、本発明を実施例を参照して説明したが、本発明の内で種々の変更をなし得ることを理解されたい。
【符号の説明】
【００３３】
２  システム／アセンブリ
４  入口プレート／プレート／カバー部分
６  入口開口
８  中央装着口
１０  直立縁部
１４  原材料容器
１６  出口プレート
１８  通路開口／出口
１９  曲げ縁部
２０  底部
２２  空間／チャンバ
２４  流動空間
２６  入口
２８  ノズルアセンブリ
３０  入口空間
３２  狭幅部
３４  チャネル
３８  エア入口
４０  回転式閉鎖デバイス／リング
４２  出口
４４  出口流れ部
１０２  コーヒーフィルタ
１０４  プレート
１０６  通路
１０８  コーヒー容器
２０２  調製装置
３０２  サブシステム
３０４  シリンダ
３０６  エア入口システム
３０８  出口
３１０  装置
３１２  カップ
４０２  入口プレート
４０４、４０６  通路
４０８  リブ
４１０  シール
４１２  外側縁部、縁部
４１４  スルーフィードチャンバ
４１６  出口プレート
４１８  中央閉鎖部
４２０  溝
４２２  通路
４２６  リング
４２８  壁
４３０  通路
４３２  ポッド
４３６  下方側
【図１】
2017530775.tif 000003
【図２】
2017530775.tif 000004
【図３】
2017530775.tif 000005
【図４】
2017530775.tif 000006
【図５】
2017530775.tif 000007
【図６】
2017530775.tif 000008
【図７】
2017530775.tif 000009
【図８】
2017530775.tif 000010
【図９Ａ】
2017530775.tif 000011
【図９Ｂ】
2017530775.tif 000012
【図９Ｃ】
2017530775.tif 000013
【図９Ｄ】
2017530775.tif 000014
【図９Ｅ】
2017530775.tif 000015
【図９Ｆ】
2017530775.tif 000016
【図９Ｇ】
2017530775.tif 000017
【図９Ｈ】
2017530775.tif 000018
【図９Ｉ】
2017530775.tif 000019
【国際調査報告】
2017530775.tif 000020
2017530775.tif 000021